(57)【要約】【課題】不定形サイズの用紙を印刷する場合においても、最適なスループットを得ることができる画像形成装置を提供する。【解決手段】画像形成装置１０の制御部３２において、用紙搬送制御プログラム１００の用紙情報受付部１０４は、プリンタドライバ等から送信された用紙の幅及び長さを受け付け、用紙間隔決定部１０６に対して出力する。用紙間隔決定部１０６は、通過率記憶部１０２に記憶されている用紙の幅と用紙通過率との関係を参照し、受け付けられた用紙の幅に対応する用紙通過率を取得する。用紙間隔決定部１０６は、該用紙通過率と受け付けられた用紙の長さとに基づいて用紙間隔を算出する。制御部３２は、算出された用紙間隔のタイミングで給紙信号を出力する。【選択図】図４
2008083470.tif 000002
【特許請求の範囲】
【請求項１】
用紙の幅及び長さを受け付ける受付手段と、
前記受付手段により受け付けられた用紙の幅及び長さに基づいて用紙の搬送を制御する制御手段と
を有する画像形成装置。
【請求項２】
前記制御手段は、前記受付手段により受け付けられた用紙の幅に対応する用紙通過率と用紙の長さとに基づいて用紙の搬送を制御する
請求項１に記載の画像形成装置。
【請求項３】
用紙の幅と用紙通過率との関係を記憶する記憶手段をさらに有し、
前記制御手段は、前記記憶手段に記憶されている用紙の幅と用紙通過率との関係にさらに基づいて用紙の搬送を制御する
請求項１又は２に記載の画像形成装置。
【請求項４】
用紙の幅及び長さを受け付ける受付手段と、
定着温度を設定するための設定手段と、
前記受付手段により受け付けられた用紙の幅及び長さ及び前記設定手段により設定された定着温度に基づいて用紙の搬送を制御する制御手段と
を有する画像形成装置。
【請求項５】
用紙の幅と用紙通過率との関係を記憶する記憶手段をさらに有し、
前記制御手段は、前記記憶手段に記憶されている用紙の幅と用紙通過率との関係にさらに基づいて用紙の搬送を制御する
請求項４に記載の画像形成装置。
【請求項６】
搬送される用紙を検知する検知手段と、
用紙の幅を受け付ける受付手段と、
前記受付手段により受け付けられた用紙の幅と、前記検知手段により検知された用紙に基づいて算出される用紙の通過時間とに基づいて用紙の搬送を制御する制御手段と
を有する画像形成装置。
【請求項７】
コンピュータを含む画像形成装置において、
用紙の幅及び長さを受け付ける受付ステップと、
前記受け付けられた用紙の幅及び長さに基づいて用紙の搬送を制御する制御ステップと
を前記画像形成装置のコンピュータに実行させるプログラム。
【請求項８】
コンピュータと定着温度を設定するための設定手段とを含む画像形成装置において、
用紙の幅及び長さを受け付ける受付ステップと、
前記受け付けられた用紙の幅及び長さ及び前記設定手段により設定された定着温度に基づいて用紙の搬送を制御する制御ステップと
を前記画像形成装置のコンピュータに実行させるプログラム。
【請求項９】
コンピュータと、搬送される用紙を検知する検知手段とを含む画像形成装置において、
用紙の幅を受け付ける受付ステップと、
前記受け付けられた用紙の幅と、前記検知された用紙に基づいて算出される用紙の通過時間とに基づいて用紙の搬送を制御する制御ステップと
を前記画像形成装置のコンピュータに実行させるプログラム。
【発明の詳細な説明】
【技術分野】
【０００１】
本発明は、プリンタ、ファクシミリ、複写機等の画像形成装置、および画像形成装置のコンピュータに実行させるプログラムに関する。
【背景技術】
【０００２】
この種の画像形成装置は、不定形サイズの用紙を印刷する場合、定着装置の温度が上昇することを低減するため、一律にスループットを低くすることが知られている。なお、スループットは、単位時間当たりの印刷枚数である。
特許文献１では、原稿をスキャンする際に、不定形サイズの用紙のデータを、画像の変倍率を求めることに用いる手法が開示されている。
【０００３】
【特許文献１】特開平６−１３３１１９号公報
【発明の開示】
【発明が解決しようとする課題】
【０００４】
本発明は、上述した背景からなされたものであり、不定形サイズの用紙を印刷する場合においても、最適なスループットを得ることができる画像形成装置を提供することを目的とする。
【課題を解決するための手段】
【０００５】
上記目的を達成するため、本発明に係る第１の画像形成装置は、用紙の幅及び長さを受け付ける受付手段と、前記受付手段により受け付けられた用紙の幅及び長さに基づいて用紙の搬送を制御する制御手段とを有する。本発明によれば、不定形サイズの用紙を印刷する場合においても、最適なスループットを得ることができる。
【０００６】
好適には、前記制御手段は、前記受付手段により受け付けられた用紙の幅に対応する用紙通過率と用紙の長さとに基づいて用紙の搬送を制御する。
【０００７】
好適には、用紙の幅と用紙通過率との関係を記憶する記憶手段をさらに有し、前記制御手段は、前記記憶手段に記憶されている用紙の幅と用紙通過率との関係にさらに基づいて用紙の搬送を制御する。
【０００８】
本発明に係る第２の画像形成装置は、用紙の幅及び長さを受け付ける受付手段と、定着温度を設定するための設定手段と、前記受付手段により受け付けられた用紙の幅及び長さ及び前記設定手段により設定された定着温度に基づいて用紙の搬送を制御する制御手段とを有する。本発明によれば、本構成を有していない場合に比較して、定着温度に適したスループットを得ることができる。
【０００９】
好適には、用紙の幅と用紙通過率との関係を記憶する記憶手段をさらに有し、前記制御手段は、前記記憶手段に記憶されている用紙の幅と用紙通過率との関係にさらに基づいて用紙の搬送を制御する。
【００１０】
本発明に係る第３の画像形成装置は、搬送される用紙を検知する検知手段と、用紙の幅を受け付ける受付手段と、前記受付手段により受け付けられた用紙の幅と、前記検知手段により検知された用紙に基づいて算出される用紙の通過時間とに基づいて用紙の搬送を制御する制御手段とを有する。本発明によれば、用紙の長さを受け付けない場合においても、最適なスループットを得ることができる。
【００１１】
また、本発明に係る第１のプログラムは、コンピュータを含む画像形成装置において、用紙の幅及び長さを受け付ける受付ステップと、前記受け付けられた用紙の幅及び長さに基づいて用紙の搬送を制御する制御ステップとを前記画像形成装置のコンピュータに実行させる。
【００１２】
本発明に係る第２のプログラムは、コンピュータと定着温度を設定するための設定手段とを含む画像形成装置において、用紙の幅及び長さを受け付ける受付ステップと、前記受け付けられた用紙の幅及び長さ及び前記設定手段により設定された定着温度に基づいて用紙の搬送を制御する制御ステップとを前記画像形成装置のコンピュータに実行させる。
【００１３】
本発明に係る第３のプログラムは、コンピュータと、搬送される用紙を検知する検知手段とを含む画像形成装置において、用紙の幅を受け付ける受付ステップと、前記受け付けられた用紙の幅と、前記検知された用紙に基づいて算出される用紙の通過時間とに基づいて用紙の搬送を制御する制御ステップとを前記画像形成装置のコンピュータに実行させる。
【発明の効果】
【００１４】
本発明によれば、不定形サイズの用紙を印刷する場合においても、最適なスループットを得ることができる。
【発明を実施するための最良の形態】
【００１５】
まず、本発明の第１の実施形態に係る画像形成装置を図面に基づいて説明する。
図１は、本発明の第１の実施形態に係る画像形成装置１０を示す図である。
画像形成装置１０は、画像形成装置本体１２を有し、この画像形成装置本体１２の下部に例えば１段の給紙カセット２４が配置されていると共に、この画像形成装置本体１２の上部に画像が形成された記録媒体を排出する排出部３６が設けられている。
【００１６】
画像形成装置本体１２には、例えば略中央部にフルカラーの画像形成を行うプリントヘッドデバイス（Ｐｒｉｎｔ Ｈｅａｄ Ｄｅｖｉｃｅ ）１４が配置されている。プリントヘッドデバイス１４には、イエロー（Ｙ）、マゼンタ（Ｍ）、ブラック（Ｋ）、シアン（Ｃ）用の像保持体としての感光体ドラム１６ａ，１６ｂ，１６ｃ，１６ｄと、これらの感光体ドラム１６ａ，１６ｂ，１６ｃ，１６ｄ上に形成された静電潜像を、イエロー（Ｙ）、マゼンタ（Ｍ）、ブラック（Ｋ）、シアン（Ｃ）の各色のトナーで現像する現像装置２０ａ，２０ｂ，２０ｃ，２０ｄと、４つの感光体ドラムのうちの２つの感光体ドラム１６ａ，１６ｂに接触する中間転写体としての第１の一次中間転写ドラム３８と、他の２つの感光体ドラム１６ｃ，１６ｄに接触する第２の一次中間転写ドラム４０と、第１、第２の一次中間転写ドラム３８，４０に接触する二次中間転写ドラム４２と、この二次中間転写ドラム４２に接触する転写部材としての最終転写ロール４４とが設けられている。
【００１７】
また、画像形成装置本体１２には、プリントヘッドデバイス１４の像保持体としての４つの感光体ドラム１６ａ，１６ｂ，１６ｃ，１６ｄに画像露光を施す露光装置１８と、プリントヘッドデバイス１４の各色の現像装置２０ａ，２０ｂ，２０ｃ，２０ｄに対応する色のトナーを供給する４つのトナーカートリッジ２２ａ，２２ｂ，２２ｃ，２２ｄと、プリントヘッドデバイス１４からトナー像が転写された記録媒体に対して、定着処理を施す定着装置２６と、この定着装置２６によって片面に画像が定着された記録媒体を、表裏を反転した状態で、再度プリントヘッドデバイス１４の転写部へと搬送する両面用搬送経路２８と、画像形成装置本体１２の外部から所望の記録媒体を給紙する手差し給紙手段３０と、記録媒体を不図示の紙送り工程を経て二次中間転写ドラム４２と最終転写ロール４４のニップ部に送り込む用紙搬送ロール４６と、画像形成装置１０の動作を制御する制御回路や画像信号に対して画像処理を施す画像処理回路等からなる制御部３２とが設けられている。
【００１８】
画像形成装置本体１２の例えば上面には、操作部４８が設けられている。操作部４８は、画像形成装置１０の制御情報や指示情報などを表示すると共に、指示情報などのユーザによる入力を受入れる。操作部４８は、例えばタッチパネルなどのユーザインターフェイス装置により構成される。なお、操作部４８は、スイッチなどの入力のみを受入れるものであってもよいし、表示などの出力のみを行うものであってもよく、これらを組合わせたものであってもよい。
なお、感光体ドラム１６ａ，１６ｂ，１６ｃ，１６ｄなど複数ある構成部分のいずれかを特定せずに示す場合には、単に感光体ドラム１６などと略記することがある。
【００１９】
図２は、制御部３２のハードウェア構成を示す図である。
図２に示すように、制御部３２は、ＣＰＵ５０、メモリ５２、データを読み書き可能に記憶するハードディスクドライブ等の記憶装置５４、図示しないネットワークを介して外部のコンピュータなどとデータの送信及び受信を行う通信装置５６、画像形成装置１０の各構成要素に対して電圧を供給する電源５８、及び操作部４８との間でデータの入出力を行う入出力インタフェース（ＩＦ）６０を含む。これらの構成要素は、バス６２を介して互いに接続されている。
【００２０】
次に、本実施形態に係る画像形成装置１０による用紙の搬送の制御方法を説明する。
図３は、画像形成装置１０により制御される用紙の間隔を説明する図である。
図３に示すように、本実施形態に係る画像形成装置１０は、用紙の幅ｘ及び長さｙを受け付け、前記受け付けられた用紙の幅及び長さに基づいて用紙の間隔ｚを制御する。具体的には、画像形成装置１０は、不定形サイズの用紙に印刷する場合、受け付けられた用紙の幅ｘに対応する用紙通過率αを算出し、この用紙通過率αと用紙の長さｙとに基づいて用紙の間隔ｚを制御する。例えば、画像形成装置１０は、プリンタドライバから送信される用紙の幅及び長さを受け付ける。
【００２１】
用紙通過率αは、ｙ／（ｙ＋ｚ）により表される。したがって、用紙間隔ｚは、用紙の幅ｘに基づいて決定される用紙通過率αと、用紙の長さｙとに基づいて求められる。なお、用紙の幅ｘと用紙通過率αとの関係については、後で詳述する。
【００２２】
図４は、このような用紙の搬送の制御方法を実現する用紙搬送制御プログラム１００の機能構成を示す図である。
図４に示すように、用紙搬送制御プログラム１００は、通過率記憶部１０２、用紙情報受付部１０４及び用紙間隔決定部１０６を有する。用紙搬送制御プログラム１００は、これらの構成要素により、用紙の幅及び長さを受け付け、この用紙の幅及び長さに基づいて用紙の搬送を制御する。用紙搬送制御プログラム１００は、制御部３２のメモリ５２にロードされ、ＣＰＵ５０により実行される。
【００２３】
用紙搬送制御プログラム１００において、通過率記憶部１０２は、用紙の幅と用紙通過率との関係を記憶する。通過率記憶部１０２は、メモリ５２及び記憶装置５４の少なくともいずれかにより実現される。なお、通過率記憶部１０２は、後述する用紙間隔決定部１０６に含まれてもよい。
【００２４】
用紙情報受付部１０４は、用紙の幅及び長さを受け付ける受付手段を構成する。具体的には、用紙情報受付部１０４は、不定形サイズの用紙の幅と長さが指定された印刷命令を、外部のコンピュータから通信装置５６を介して受け付ける。例えば、用紙情報受付部１０４は、外部のコンピュータ上で動作するプリンタドライバから送信される印刷命令を受け付ける。用紙情報受付部１０４は、受け付けられた用紙の幅及び長さを用紙間隔決定部１０６に対して出力する。
【００２５】
用紙間隔決定部１０６は、用紙情報受付部１０４により受け付けられた用紙の幅及び長さに基づいて用紙の搬送を制御する制御手段を構成する。具体的には、用紙間隔決定部１０６は、通過率記憶部１０２に記憶され、用紙情報受付部１０４により受け付けられた用紙の幅に対応する用紙通過率と、用紙の長さとに基づいて用紙の間隔を制御する。
【００２６】
図５は、通過率記憶部１０２に記憶されている用紙の幅と用紙通過率との関係を例示する図である。
図５に例示するように、通過率記憶部１０２には、用紙の幅と、この幅に対応する用紙通過率が記憶されている。例えば、用紙の幅が８０である場合、用紙間隔決定部１０６は、用紙通過率を２０％とする。この場合、０．２＝ｙ／（ｙ＋ｚ）より、用紙間隔ｚは、４ｙとなる。このようにして、用紙間隔決定部１０６は、用紙間隔ｚを算出する。なお、本例において、用紙の幅ｘは４つの範囲に分割されているが、分割の範囲及び分割数は本例に限定されない。
【００２７】
図６は、用紙搬送制御プログラム１００による用紙搬送制御処理（Ｓ１０）を示すフローチャートである。
図６に示すように、ステップ１００（Ｓ１００）において、用紙搬送制御プログラム１００（図５）の用紙情報受付部１０４は、プリンタドライバ等から送信された用紙の幅及び長さを受け付け、用紙間隔決定部１０６に対して出力する。
【００２８】
ステップ１０２（Ｓ１０２）において、用紙間隔決定部１０６は、通過率記憶部１０２に記憶されている用紙の幅と用紙通過率との関係を参照し、受け付けられた用紙の幅に対応する用紙通過率を取得する。
ステップ１０４（Ｓ１０４）において、用紙間隔決定部１０６は、該用紙通過率と受け付けられた用紙の長さとに基づいて用紙間隔を算出する。
【００２９】
次に、本実施形態に係る画像形成装置１０の動作を説明する。
印刷命令が外部のコンピュータ等から画像形成装置１０に対して送信されると、感光体ドラム１６が一様に帯電され、この帯電された感光体ドラム１６には、画像信号に基づいて露光装置１８から光線が出射される。露光装置１８からの光線は、感光体ドラム１６の表面を露光し、潜像が形成される。露光装置１８により形成された感光体ドラム１６ａ，１６ｂ，１６ｃ，１６ｄの潜像は、トナーカートリッジ２２ａ，２２ｂ，２２ｃ，２２ｄからトナーを供給される現像装置２０ａ，２０ｂ，２０ｃ，２０ｄによってイエロー、マゼンタ、黒、シアンのトナー像を現像され、一次中間転写ドラム３８，４０に重ねて一次転写される。
【００３０】
さらに、画像形成装置１０では、用紙搬送制御処理（図６）が実行される。制御部３２は、算出された用紙間隔のタイミングで給紙信号を出力する。したがって、手差し給紙手段３０から給紙された用紙（又は、給紙カセット２４に収納された用紙）は、不図示の紙送り工程を経て、用紙搬送ロール４６により、算出された用紙間隔で二次中間転写ドラム４２と最終転写ロール４４のニップ部に送り込まれる。用紙が二次中間転写ドラム４２と最終転写ロール４４との間に導かれると、一次中間転写ドラム３８，４０に一次転写されているトナー像が二次中間転写ドラム４２と最終転写ロール４４とによって用紙に二次転写される。トナー像を転写された用紙は、定着装置２６に導かれて、トナー像を定着される。トナー像が定着した用紙は、排出口から排出部３６へ排出される。用紙間隔が制御されていることにより、定着装置２６は、次の用紙が導かれる前に所定の温度になる。
【００３１】
なお、本実施例においては、用紙の搬送は、搬送される用紙の間隔を変更することにより制御されるが、用紙の搬送速度を変更することにより制御されてもよい。この場合、用紙搬送制御プログラム１００は、用紙情報受付部１０４により受け付けられた用紙の幅及び長さに基づいて用紙の搬送速度を制御する。
【００３２】
また、制御部３２は、算出された用紙の間隔及び用紙通過率の少なくともいずれかに基づいて、定着装置２６の定着温度を変更してもよい。この場合、制御部３２は、予め決められた複数の定着温度から定着温度を選択してもよい。
【００３３】
次に、本発明の第２の実施形態に係る画像形成装置１０を説明する。
本実施形態に係る画像形成装置１０は、用紙通過率αが、用紙の幅ｘを変数とした式により算出される点で、第１の実施形態に係る画像形成装置１０と異なる。
【００３４】
図７は、本実施形態に係る画像形成装置１０上で動作する用紙搬送制御プログラム１００の通過率記憶部１０２に記憶されている用紙の幅と用紙通過率との関係を例示する図である。
図７に例示するように、本実施形態において、通過率記憶部１０２には、用紙の幅と、この幅に対応する用紙通過率の算出式が記憶されている。例えば、用紙の幅ｘが８０である場合、用紙間隔決定部１０６は、式ｇ１（ｘ）に基づいて用紙通過率を算出する。なお、本例において、算出式は、幅ｘのそれぞれの範囲で異なるが、同一の式でもよい。また、用紙の幅ｘは４つの範囲に分割されているが、分割の範囲及び分割数は本例に限定されない。
【００３５】
次に、本発明の第３の実施形態に係る画像形成装置１０を説明する。
本実施形態に係る画像形成装置１０は、定着装置２６の定着温度を設定するための設定手段を有し、用紙の幅及び長さ及び該設定手段により設定された定着温度に基づいて用紙の搬送を制御する点で、第１の実施形態に係る画像形成装置１０と異なる。本例では、操作部４８が、定着温度を設定するための設定手段を構成する。
【００３６】
図８は、本実施形態に係る画像形成装置１０上で動作する用紙搬送制御プログラム１１０の機能構成を示す図である。なお、図８に示された各構成のうち、図４に示された構成と実質的に同一のものには同一の符号が付されている。
図８に示すように、本実施形態において、用紙搬送制御プログラム１１０は、通過率記憶部１０２、用紙情報受付部１０４及び用紙間隔決定部１１２を有する。用紙搬送制御プログラム１１０は、これらの構成要素により、用紙の幅及び長さを受け付け、この用紙の幅及び長さ及び操作部４８を用いて設定された定着温度に基づいて用紙の搬送を制御する。
【００３７】
用紙搬送制御プログラム１１０において、用紙間隔決定部１１２は、用紙情報受付部１０４により受け付けられた用紙の幅及び長さ及び操作部４８により設定された定着温度に基づいて用紙の搬送を制御する。具体的には、用紙間隔決定部１１２は、通過率記憶部１０２に記憶され、用紙情報受付部１０４により受け付けられた用紙の幅及び設定された定着温度に対応する用紙通過率と、用紙の長さとに基づいて用紙の間隔を制御する。
【００３８】
図９は、通過率記憶部１０２に記憶されている用紙の幅と定着温度と用紙通過率との関係を例示する図である。
図９に例示するように、通過率記憶部１０２には、用紙の幅と、定着温度と、この幅及び定着温度に対応する用紙通過率が記憶されている。例えば、用紙の幅が８０であり、定着温度がＴ１である場合、用紙間隔決定部１０６は、用紙通過率をＲ１とする。なお、本例において、用紙の幅ｘは４つの範囲に分割され、定着温度は２つの値に分割されているが、分割の範囲及び分割数は本例に限定されない。
【００３９】
次に、本発明の第４の実施形態に係る画像形成装置１０を説明する。
本実施形態に係る画像形成装置１０は、搬送される用紙を検知する検知手段を有し、用紙の幅と、前記検知手段により検知された用紙に基づいて算出される用紙の通過時間とに基づいて用紙の搬送を制御する点で、第１の実施形態に係る画像形成装置１０と異なる。
【００４０】
図１０は、本発明の第４の実施形態に係る画像形成装置１０を示す図である。なお、図１０に示された各構成のうち、図１に示された構成と実質的に同一のものには同一の符号が付されている。
図１０に示すように、本実施形態に係る画像形成装置１０は、用紙紙端センサ６４（以下、センサ６４という）をさらに有する。センサ６４は、例えばアクチュエータを介して用紙の検知を行うセンサであり、搬送路に設けられ、搬送される用紙を検知する検知手段を構成する。センサ６４は、用紙の紙端を検知すると、検知した旨を制御部３２に対して出力する。
【００４１】
図１１は、本実施形態に係る画像形成装置１０上で動作する用紙搬送制御プログラム１２０の機能構成を示す図である。なお、図１１に示された各構成のうち、図４に示された構成と実質的に同一のものには同一の符号が付されている。
図８に示すように、本実施形態において、用紙搬送制御プログラム１１０は、通過率記憶部１０２、用紙情報受付部１２２及び用紙間隔決定部１２４を有する。用紙搬送制御プログラム１２０は、これらの構成要素により、用紙の幅を受け付け、この用紙の幅と、センサ６４により記検知された用紙に基づいて算出される用紙の通過時間とに基づいて用紙の搬送を制御する。
【００４２】
用紙搬送制御プログラム１２０において、用紙情報受付部１２２は、用紙の幅を受け付ける受付手段を構成する。具体的には、用紙情報受付部１２２は、不定形サイズの用紙の幅が指定された印刷命令を、外部のコンピュータから通信装置５６を介して受け付けて、用紙間隔決定部１２４に対して出力する。
【００４３】
用紙間隔決定部１２４は、用紙情報受付部１２２により受け付けられた用紙の幅と、センサ６４により検知された用紙に基づいて算出される用紙の通過時間とに基づいて用紙の搬送を制御する。具体的には、用紙間隔決定部１２４は、センサ６４から出力された用紙の端部の検知信号を受け付けて用紙の通過時間を算出し、この通過時間に基づいて用紙の長さを算出し、用紙の幅及び算出された用紙の長さに基づいて用紙の間隔を制御する。なお、用紙は、一定の速度で搬送される。
【００４４】
図１２は、用紙搬送制御プログラム１２０による用紙搬送制御処理（Ｓ２０）を示すフローチャートである。なお、図１２に示された各処理のうち、図６に示された処理と実質的に同一のものには同一の符号が付されている。
図１２に示すように、Ｓ１００〜Ｓ１０２の処理で、用紙搬送制御プログラム１２０（図１１）の用紙情報受付部１２２が、プリンタドライバ等から送信された用紙の幅を受け付けると、用紙間隔決定部１２４は、通過率記憶部１０２に記憶されている用紙の幅と用紙通過率との関係を参照し、受け付けられた用紙の幅に対応する用紙通過率を取得する。
【００４５】
ステップ２００（Ｓ２００）において、制御部３２は、例えば１ページ目の印刷処理を行う。ここで、センサ６４は、用紙の端部を検知し、検知情報を制御部３２に対して出力する。用紙搬送制御プログラム１２０の用紙間隔決定部１２４は、検知情報を受け付ける。
【００４６】
ステップ２０２（Ｓ２０２）において、用紙間隔決定部１２４は、受け付けられた検知情報に基づいて用紙の長さを算出する。
ステップ２０４（Ｓ２０４）において、用紙間隔決定部１２４は、Ｓ１０２の処理で取得された用紙通過率と算出された用紙の長さとに基づいて用紙間隔を算出する。
以降、印刷処理は、該用紙間隔で実行される。
【図面の簡単な説明】
【００４７】
【図１】本発明の第１の実施形態に係る画像形成装置１０を示す図である。
【図２】制御部３２のハードウェア構成を示す図である。
【図３】画像形成装置１０により制御される用紙の間隔を説明する図である。
【図４】本発明に係る画像形成装置１０による用紙の搬送の制御方法を実現する用紙搬送制御プログラム１００の機能構成を示す図である。
【図５】本発明の第１の実施形態において、通過率記憶部１０２に記憶されている用紙の幅と用紙通過率との関係を例示する図である。
【図６】用紙搬送制御プログラム１００による用紙搬送制御処理（Ｓ１０）を示すフローチャートである。
【図７】本発明の第２の実施形態に係る画像形成装置１０上で動作する用紙搬送制御プログラム１００の通過率記憶部１０２に記憶されている用紙の幅と用紙通過率との関係を例示する図である。
【図８】本発明の第３の実施形態に係る画像形成装置１０上で動作する用紙搬送制御プログラム１１０の機能構成を示す図である。
【図９】本発明の第３の実施形態において、通過率記憶部１０２に記憶されている用紙の幅と定着温度と用紙通過率との関係を例示する図である。
【図１０】本発明の第４の実施形態に係る画像形成装置１０を示す図である。
【図１１】本発明の第４の実施形態に係る画像形成装置１０上で動作する用紙搬送制御プログラム１２０の機能構成を示す図である。
【図１２】用紙搬送制御プログラム１２０による用紙搬送制御処理（Ｓ２０）を示すフローチャートである。
【符号の説明】
【００４８】
１０ 画像形成装置
１４ プリントヘッドデバイス
２４ 給紙カセット
２６ 定着装置
２８ 両面用搬送経路
３０ 給紙手段
３２ 制御部
４８ 操作部
５０ ＣＰＵ
５２ メモリ
５４ 記憶装置
５６ 通信装置
５８ 電源
６０ 入出力ＩＦ
６２ バス
６４ センサ
１００ 用紙搬送制御プログラム
１０２ 通過率記憶部
１０４ 用紙情報受付部
１０６ 用紙間隔決定部
１１０ 用紙搬送制御プログラム
１１２ 用紙間隔決定部
１２０ 用紙搬送制御プログラム
１２２ 用紙情報受付部
１２４ 用紙間隔決定部
【図１】
2008083470.tif 000003
【図２】
2008083470.tif 000004
【図３】
2008083470.tif 000005
【図４】
2008083470.tif 000006
【図５】
2008083470.tif 000007
【図６】
2008083470.tif 000008
【図７】
2008083470.tif 000009
【図８】
2008083470.tif 000010
【図９】
2008083470.tif 000011
【図１０】
2008083470.tif 000012
【図１１】
2008083470.tif 000013
【図１２】
2008083470.tif 000014